(57)【特許請求の範囲】
【請求項１】
バーナを具備する燃焼装置を収容した外装ケースと、前記バーナの上側で該外装ケースの前面部に設けられた温風吹き出し口と、該外装ケースが設置される室内の空気を前記外装ケースの背面部に設けた吸入口から該外装ケース内に吸入し、その吸入した室内空気を前記燃焼装置の放熱部を介して前記温風吹き出し口から送風する対流ファンとを具備した温風暖房装置において、
前記外装ケースの底板の底面に前後方向に延在する溝を設け、前記対流ファンの作動時に該対流ファンが吸引する空気の一部を、前記外装ケースの前側から前記溝に進入させ、該溝を介して前記外装ケースの背面側に流通させるようにしたことを特徴とする温風暖房装置。
【請求項２】
前記燃焼装置は、前記バーナを収容したバーナケースを備え、該バーナケースは、その底部のうち、少なくとも前記バーナの下方に位置する部分を前記外装ケースの底板から上方に離間させた状態で前記外装ケース内に収容されていることを特徴とする請求項１記載の温風暖房装置。
【発明の詳細な説明】
【０００１】
【発明の属する技術分野】
本発明は、温風暖房装置に関する。
【０００２】
【従来の技術】
バーナを具備する燃焼装置を外装ケース内に収容した温風暖房装置は、石油温風暖房装置等で従来から知られている。
【０００３】
この種の温風暖房装置では、外装ケースの前面部に温風の吹き出し口が設けられると共に、室内空気を外装ケースの背面部の吸入口から外装ケース内に吸入し、その吸入した室内空気を前記燃焼装置の放熱部を介して温風吹き出し口から送風する対流ファンが備えられている。
【０００４】
このような温風暖房装置では、外装ケースが設置される室内の床が燃焼装置の輻射熱等によって過熱状態となるのを防止することが要求される。そして、この要求のために、例えば、燃焼装置のバーナをできるだけ床側（外装ケースの底板側）から上方に離間させて配置したり、バーナと外装ケースの底板との間に断熱材を介装する等の方策が従来より採られている。しかしながら、このように、単にバーナを床側から離間させるようにしたものでは、特に、バーナの大きな燃焼量が要求されるような温風暖房装置では、バーナを比較的大きく床側から離間させるために該温風暖房装置が大型化してしまうと共に、外装ケース内に空きスペースが多くなってスペース効率が悪いものとなってしまう。また、これを避けるために、断熱材を多用するような温風暖房装置では、コスト低減の妨げとなってしまうという不都合があった。
【０００５】
【発明が解決しようとする課題】
本発明はかかる背景に鑑みてなされたものであり、温風暖房装置の大型化やコストアップを回避しつつ設置箇所の過熱を効果的に防止することができる温風暖房装置を提供することを目的とする。
【０００６】
【課題を解決するための手段】
本発明の温風暖房装置はかかる目的を達成するために、バーナを具備する燃焼装置を収容した外装ケースと、前記バーナの上側で該外装ケースの前面部に設けられた温風吹き出し口と、該外装ケースが設置される室内の空気を前記外装ケースの背面部に設けた吸入口から該外装ケース内に吸入し、その吸入した室内空気を前記燃焼装置の放熱部を介して前記温風吹き出し口から送風する対流ファンとを具備した温風暖房装置において、前記外装ケースの底板の底面に前後方向に延在する溝を設け、前記対流ファンの作動時に該対流ファンが吸引する空気の一部を、前記外装ケースの前側から前記溝に進入させ、該溝を介して前記外装ケースの背面側に流通させるようにしたことを特徴とする。
【０００７】
かかる本発明によれば、温風暖房装置の前記燃焼装置の燃焼運転を行いつつ、前記対流ファンを作動している状態（温風の送風時）において、前記対流ファンが前記吸入口から吸入する室内空気の一部は、前記外装ケースの前側から、前記底板とこれが設置される床面との間の前記溝を介して外装ケースの背面側に流れ、前記吸入口に至る。従って、温風の送風時には、常時、外装ケースの底板の底面の溝に床との間で空気が流通する。このため、外装ケースの底板とこれが設置される床との間の箇所の放熱性が確保されることとなり、当該設置箇所に前記バーナの輻射熱等による熱が蓄積するようなことが回避される。この結果、バーナを床側から上方に大きく離間させるようにしたり、多数の断熱材を使用したりすることなく、温風暖房装置の設置箇所の過熱を効果的に防止することができることとなる。よって、本発明によれば、温風暖房装置の大型化やコストアップを回避しつつ設置箇所の過熱を効果的に防止することができる。
【０００８】
かかる本発明では、好ましくは、前記燃焼装置は、前記バーナを収容したバーナケースを備え、該バーナケースは、その底部のうち、少なくとも前記バーナの下方に位置する部分を前記外装ケースの底板から上方に離間させた状態で前記外装ケース内に収容されている。
【０００９】
これによれば、バーナケースの底部と外装ケースの底板との間に空間を存することとなるため、バーナの燃焼熱が外装ケースの底板側に伝わり難くなり、温風暖房装置の設置箇所の過熱防止の効果を高めることができる。
【００１０】
【発明の実施の形態】
本発明の温風暖房装置の一実施形態を図１〜図３を参照して説明する。図１は本実施形態の温風暖房装置の一部を破断して示した側面図、図２は図１の温風暖房装置の要部の内部構成を正面示で表した説明図、図３は図２のIII−III線断面図である。
【００１１】
図１を参照して、本実施形態の温風暖房装置は、ＦＦ式の温風暖房装置であり、室内の床Ａ上に設置される外装ケース１と、この外装ケース１内に収容された燃焼装置２、放熱器３、及び対流ファン４とを備えている。
【００１２】
外装ケース１は、方形箱状のものであり、その背面パネル５を室内の壁Ｂに対面させた状態で、底板架台６を介して床Ａ上に設置されている。この外装ケース１の前面パネル７には、網材８を装着した温風吹き出し口９が形成されている。尚、前面パネル７には、該温風吹き出し口９を遮らない位置で化粧パネル１０が装着されていると共に、該化粧パネル１０を含めて前面パネル７の略全体を覆うようにして柵状ガード部材１１が装着されている。また、図１および図２から明らかなように、温風吹出し口９は、後述するバーナ１９の上側で設けられている。
【００１３】
外装ケース１の背面パネル５の上部には、対流ファン４が室内空気を吸入するための吸入口１２が設けられており、この吸入口１２には、フィルタ１３が装着されている。尚、図１中、１４は燃焼装置２の給排気を行うための二重管構造の給排気管であり、この給排気管１４は、外装ケース１の内部から背面パネル５を貫通して外装ケース１の後方に導出され、さらに、該外装ケース１の後方の壁Ｂに設けられた穴（図示省略）を介して屋外に導出されている。
【００１４】
外装ケース１の底板架台６は、板材から形成されたものであり、図２及び図３に示すように、その周縁部が床Ａに接触するフランジ部１５となっていると共に、該フランジ部１５（周縁部）を除く部分（平板状の部分）が床Ａから上方に離間して該床Ａとの間に空間１６を形成する凸部１７となっている。別の言い方をすれば、底板架台６は下方に開口した浅い箱形状のもの（前記凸部１７に相当）の下端の開口周縁部にフランジ部１５を形成したような構造となっている。そして、底板架台６の前部のフランジ部１５と、後部のフランジ部１５とには、それぞれの下面部に、温風暖房装置の幅方向（図２の左右方向）の中央箇所で前後方向（図３の左右方向）に延在する溝１８，１８が形成されており、前記凸部１７と床Ａとの間の空間１６は、これらの溝１８，１８を介して室内に連通している。尚、フランジ１５の溝１８，１８以外の部分は、基本的には、全周にわたって床Ａに接触する。また、フランジ１５の上面部には、図２及び図３に示す如くフランジ溝１５ａが形成されている。このフランジ溝１５ａは、万一、温風暖房装置内で液体燃料（灯油）が漏れた場合の溜り部となっていて、使用者が発見し易いようになっている。
【００１５】
前記燃焼装置２は、本実施形態では、液体燃料としての灯油を気化して燃焼させる気化式燃焼装置であり、図１及び図２に示すように、バーナ１９及び気化器２０を収容した方形箱状のバーナケース２１を具備している。
【００１６】
このバーナケース２１は、底板架台６上に支持された略平板状の補助架台２２上に載架されている。さらに詳細には、補助架台２２は、図２に示すように底板架台６の凸部１７の上側に該凸部１７の上面と若干の間隔を存して水平姿勢で配置され、該補助架台２２の左右の両側部に形成されたフランジ２２ａ，２２ａが底板架台６の凸部１７の上面部に突設された複数の架台支持部２３上に支持されて取り付けられている。尚、架台支持部２３は、本実施形態では補助架台２２の四隅を支持すべく四個備えられている。
【００１７】
そして、バーナケース２１は、その左右の両側部の脚部２４，２４（バーナケース２１の左右の側板の下端部に形成されたフランジ）を介して前記補助架台２２上に支持されて取り付けられている。尚、図２及び図３に示すように、このバーナケース２１の底板２５は、補助架台２２から上方に離間した位置に水平姿勢で設けられ、該補助架台２２に非接触状態とされている。また、図２で２６はバーナ１９の燃焼炎を見るためにバーナケース２１の前面部に設けられた炎確認窓である。また、図３で５ａ，７ａはそれぞれ底板架台６に前記前面パネル５、背面パネル７を取り付けるためのブラケットである。
【００１８】
バーナケース２１の内部には、その内部の上部に燃焼室２７を形成する縦断面Ｌ字状の板部材２８（図２参照）が設けられており、この板部材２８に、バーナ１９がその炎口２９（図１参照）を燃焼室２７に臨ませて取り付けられている。この場合、該バーナ１９は、バーナケース２１の底板２５からその上方に離間して、左右方向に延在している。そして、図２に示すように、バーナ１９の一端部（図２の右側部）の上面部に前記気化器２０が取り付けられている。該気化器２０は、バーナケース２１の側方で外装ケース１内に収容された定油面器３０から電磁ポンプ３１、給油管３２及びノズル３３を介して供給される灯油を加熱・気化し、その気化ガスをバーナ１９に供給するものである。尚、定油面器３０には、外装ケース１の外部の図示しない燃料タンクから配管を介して灯油が供給されるようになっている。
【００１９】
また、図２に示すように、バーナケース２１の左側部には、バーナケース２１内に燃焼用空気（一次空気及び二次空気）を供給する燃焼ファン３４が装着されている。この燃焼ファン３４からバーナケース２１内に供給される燃焼用空気は、その一部が一次空気として、バーナ１９の下方や周囲の空間を通って気化器２０に供給され、該気化器２０内で液体燃料の気化ガスと混合されてバーナ１９に供給されると共に、残部は、二次空気として、バーナ１９のバーナトップ１９ａに炎口２９と共に穿設されている二次空気導入孔３５（図１参照）を介して燃焼室２７に供給されるようになっている。
【００２０】
尚、燃焼ファン３４の吸気口は、前記給排気管１４（詳しくは給排気管１４の給気路）に連通して外装ケース１内に設けられた給気ボックス３６に給気配管３７を介して接続されている。
【００２１】
前記放熱器３は、バーナ１０の燃焼運転中にバーナケース２１内の燃焼室２７で生成される高温の排ガスと前記対流ファン４から供給される空気との熱交換を行うものであり、図２に示すように、燃焼室２７に連通してバーナケース２１の上面部に装着された排気ダクト３８に接続された上流放熱管３９と、この上流放熱管３９から上流側排ガス集合部４０を介して排ガスが導入される複数の下流放熱管４１とを具備している。この場合、上流放熱管３９及び下流放熱管４１は左右方向に平行に延在し、また、下流放熱管４１は、外装ケース１の前記温風吹き出し口９に臨んで設けられている。そして、下流放熱管４１の下流端部は、前記給排気管１４（詳しくは給排気管１４の排気路）に連通して前記給気ボックス３６と一体的に設けられた排気ボックス４２に、下流側排ガス集合部４３及び排気配管４４を介して連接されている。
【００２２】
前記対流ファン４は、図１に示すように、放熱器３の上側で前記外装ケース１の背面パネル５の上部の吸入口１２に臨んで設けられている。そして、該対流ファン４は、図１に破線矢印で示すように、室内空気を吸入口１２から外装ケース１内に吸入し、それを放熱器３の下流放熱管４１を介して温風吹き出し口９から室内に送風するようにしている。つまり、対流ファン４は、外装ケース１内の放熱器３を介して室内空気を対流させつつ温風吹き出し口９から外装ケース１の前方に送風するようにしている。
【００２３】
次に、本実施形態の温風暖房装置の作動を説明する。
【００２４】
温風暖房装置の運転は、燃焼装置２の燃焼運転を行いながら、対流ファン４を作動させることにより行われる。尚、燃焼装置２の燃焼運転は、気化器２０を図示しない電熱ヒータにより加熱した状態で、燃焼ファン３４を作動させながら気化器２０に電磁ポンプ３１により液体燃料を供給して気化ガスを生成し、その気化ガスと気化器２０内に供給される一次空気との混合気をバーナ１９に供給して燃焼させることにより行われる。
【００２５】
このように温風暖房装置の運転を行っているとき、対流ファン４は、外装ケース１の背面部の吸入口１２からフィルタ１３を介して室内空気を吸入し、それを放熱器３の下流放熱管４１を介して外装ケース１の前面部の温風吹き出し口９から室内に送風する。このとき、対流ファン４が吸入した室内空気が下流放熱管４１に接触することで、該室内空気が加熱され、温風となって室内に送風される。
【００２６】
また、このとき、対流ファン４が吸入する室内空気の一部は、図３の破線矢印で示すように、外装ケース１の前側から、底板架台６の前部側の溝１８と、底板架台６の凸部１７の下側の空間１６と、底板架台６の後部側の溝１８とを順に介して外装ケース１と壁Ｂと間の空間に流れ、それが外装ケース１と壁Ｂとの間の空間を上昇して対流ファン４により吸入される。
【００２７】
このため、バーナ１９の燃焼による輻射熱が底板架台６の凸部１７と床Ａとの間の空間１６に蓄積したりすることがなく、この結果、床Ａが過熱状態となるのを効果的に防止することができる。
【００２８】
さらに、本実施形態では、バーナケース２１の底板２５と該バーナケース２１を支持する補助架台２２との間、並びに、該補助架台２２と底板架台６の凸部１７との間には空間が形成され、バーナケース２１の底板２５は、外装ケース１の最下層部を形成する底板架台６の凸部１７から、上方に離間した位置に設けられている。このため、バーナケース２１内で燃焼するバーナ１９の燃焼による熱は、底板架台６側に伝わり難い構造となっている。このため、前述のように底板架台６の下側で空気が流れることと併せて、床Ａの過熱を防止することができる。
【００２９】
以上のように本実施形態の温風暖房装置では、特に、バーナ１９の燃焼を行っている際の対流ファン４の作動により、底板架台６の溝１８を介して底板架台６の下側で空気が流れるため、床Ａの過熱を効果的に防止することができる。そして、この結果、バーナ１９をできるだけ床側から離間させたり、多くの断熱材を装備したりする必要性が低減され、温風暖房装置の構成の小型化やコスト低減を図ることができる。
【００３０】
尚、以上説明した実施形態では、底板架台６の周縁部のフランジ部１５の前部と後部とにそれぞれ一つずつ溝１８を形成するようにしたが、複数の溝を設けるようにしてもよい。
【００３１】
また、以上説明した実施形態では、底板架台６の周縁部のフランジ部１５以外の部分が床Ａとの間に空間１６を有する凸部１７となっているため、底板架台６の前部及び後部のフランジ部１５に溝１８，１８を形成するようにしたが、底板架台が例えば単なる平板状のものであるような場合には、その前端から後端にかけて延在する溝を底体架台の底面に形成するようにすればよく、この場合、該溝を複数、形成するようにしてもよい。
【図面の簡単な説明】
【図１】本発明の温風暖房装置の一実施形態の一部を破断して示した側面図。
【図２】図１の温風暖房装置の要部の内部構成を正面示で表した説明図。
【図３】図２のIII−III線断面図。
【符号の説明】
１…外装ケース、２…燃焼装置、３…放熱器（放熱部）、４…対流ファン、６…外装ケースの底板架台、８…温風吹き出し口、１２…吸入口、１９…バーナ、２１…バーナケース。
【図１】
0003908903.tif 000002
【図２】
0003908903.tif 000003
【図３】
0003908903.tif 000004